【手続補正書】
【提出日】平成28年2月19日(2016.2.19)
【手続補正１】
【補正対象書類名】明細書
【補正対象項目名】０１１５
【補正方法】変更
【補正の内容】
【０１１５】
実施例１５は、比較的低い輝度保持性のために再帰反射シーティングの比較例であるが、かかる組成は、剥離コーティングされた表面が汚れの蓄積の影響を受けない別の物品では、剥離コーティングとして使用するのに好適な場合もある。本発明の実施態様の一部を以下の項目［１］−［４１］に記載する。
［１］
再帰反射表示面を備える再帰反射シーティング物品であって、前記再帰反射表示面が剥離コーティングを備えており、前記剥離コーティングが、ポリオルガノシロキサン及び少なくとも１５重量％の親水性単位を含む、再帰反射シーティング物品。
［２］
前記再帰反射表示面の反対側の表面が感圧接着剤を含む、項目１に記載の再帰反射シーティング物品。
［３］
前記再帰反射表示面の前記剥離コーティングが、前記感圧接着剤と接触している、項目２に記載の再帰反射シーティング物品。
［４］
前記再帰反射シーティングが、ロール品であるか又は再帰反射シーティング片の積層品である、項目１〜３のいずれかに記載の再帰反射シーティング物品。
［５］
前記剥離コーティングが、少なくとも１個の第１官能基を含む少なくとも１種のポリオルガノシロキサンポリマーと第２官能基を有する少なくとも１種の親水性成分との反応生成物であり、前記第１官能基と前記第２官能基が共有結合している、項目１〜４のいずれかに記載の再帰反射シーティング物品。
［６］
前記第１官能基と前記第２官能基が熱硬化又は放射線硬化によって共有結合する、項目５に記載の再帰反射シーティング物品。
［７］
前記第１官能基と前記第２官能基がシラノール及びアルコキシシランから選択される、項目５に記載の再帰反射シーティング物品。
［８］
前記剥離コーティングが、少なくとも１種のポリオルガノシロキサンポリマーと少なくとも１種の親水性成分との混合物である、項目１〜７のいずれかに記載の再帰反射シーティング物品。
［９］
前記ポリオルガノシロキサンが、５００〜１０，０００ｇ／モルの範囲の分子量を有する液体である、項目１〜８のいずれかに記載の再帰反射シーティング物品。
［１０］
前記親水性成分がエチレンオキシド繰り返し単位を含む、項目１〜８のいずれかに記載の再帰反射シーティング。
［１１］
前記親水性成分が、５００〜５００，０００ｇ／モルの範囲の分子量を有する、項目１〜１０のいずれかに記載の再帰反射シーティング物品。
［１２］
親水性成分が、次の構造：
【化１】
2015516311.tif 000001
（式中、Ｒ２は、価数ｍの炭化水素残基であり、
各ｎにおいて、Ｌ１は独立して、直鎖又は分枝状Ｃ２〜Ｃ６アルキレンであり、
各ｍにおいて、Ｌ２は独立して、ウレタン又は硫黄結合を含む二価の結合基である）を有する、項目５〜１１のいずれかに記載の再帰反射シーティング物品。
［１３］
前記親水性成分が次の構造：
【化２】
2015516311.tif 000002
を有する、項目５〜１１のいずれかに記載の再帰反射シーティング物品。
［１４］
前記感圧接着剤がゴム系接着剤又はアクリル接着剤である、項目１〜１３のいずれかに記載の再帰反射シーティング物品。
［１５］
前記再帰反射表示面が、反射バインダー層と、前記バインダー層中に部分的に埋め込まれたガラス又はセラミックビーズと、を含む、項目１〜１４のいずれかに記載の再帰反射シーティング物品。
［１６］
前記再帰反射表示面が複数の突起部を含みかつ突起部が側面を有しており、前記側面が前記のビーズ結合層とビーズとを含む、項目１５に記載の再帰反射シーティング物品。
［１７］
前記物品が、舗装作製（pavement making）テープである、項目１〜１６のいずれかに記載の再帰反射シーティング物品。
［１８］
ビーズ結合層とバインダー層に部分的に埋め込まれたガラス又はセラミックビーズとを含む表面を備える、シーティング物品。
［１９］
前記剥離コーティング又はシーティングが、項目１〜１６のいずれか又はそれらの任意の組み合わせを特徴とする、項目１８に記載のシーティング物品。
［２０］
シーティング物品の製造方法であって、
表面を備えるシーティング物品を供給する工程と、
前記表面に剥離コーティングを適用する工程であって、前記剥離コーティングが、ポリオルガノシロキサンポリマー及び少なくとも１５重量％の親水性単位を含む、工程と、を含む製造方法。
［２１］
前記再帰反射シーティング物品の前記反対側の表面に感圧接着剤を適用する工程を更に含む、項目１０に記載の方法。
［２２］
前記再帰反射表示面の前記剥離コーティングを前記感圧接着剤と接触させることを更に含む、項目２１に記載の方法。
［２３］
前記シーティングをロールに巻き取ること又はシーティング片を切断してそれらを積層することにより、前記剥離コーティングと前記感圧接着剤とを接触させる、項目２２に記載の方法。
［２４］
舗道に標識を付ける方法であって、
項目１〜１７のいずれかに記載の再帰反射シーティング物品を供給する工程と、
前記感圧接着剤を舗装面又は他の道路インフラストラクチャーに接触させる工程と、を含む、方法。
［２５］
少なくとも１個の第１官能基を含む少なくとも１種のポリオルガノシロキサンポリマーと、第２官能基を有する少なくとも１種の親水性成分とを含む剥離コーティングであって、前記第１官能基と前記第２官能基が共有結合され、前記剥離コーティングが少なくとも１０重量％の親水性単位を含む、剥離コーティング。
［２６］
前記第１官能基と前記第２官能基が、熱硬化又は放射線硬化によって共有結合される、項目２５に記載の剥離コーティング。
［２７］
前記第１官能基及び前記第２官能基が、シラノール及びアルコキシシランから選択される、項目２５に記載の剥離コーティング。
［２８］
前記剥離コーティングが、前記少なくとも１種のポリオルガノシロキサンポリマーと前記少なくとも１種の親水性成分との混合物である、項目２５〜２７のいずれかに記載の剥離コーティング。
［２９］
前記ポリオルガノシロキサンが、５００〜１０，０００ｇ／モルまでの範囲の分子量を有する液体である、項目２５〜２８のいずれかに記載の剥離コーティング。
［３０］
前記親水性成分が、エチレンオキシド繰り返し単位を含む、項目２５〜２９のいずれかに記載の剥離コーティング。
［３１］
前記親水性成分が、５００〜５００，０００ｇ／モルまでの範囲の分子量を有する、項目２５〜３０のいずれかに記載の剥離コーティング。
［３２］
前記親水性成分が次の構造：
【化３】
2015516311.tif 000003
（式中、Ｒ２は、価数ｍの炭化水素残基であり、
各ｎにおいて、Ｌ１は独立して、直鎖又は分枝状Ｃ２〜Ｃ６アルキレンであり、
各ｍにおいて、Ｌ２は独立して、ウレタン又は硫黄結合を含む二価の結合基である）を有する、項目２５〜３１のいずれかに記載の剥離コーティング。
［３３］
前記親水性成分が、ポリアルキレンオキシド主鎖及び少なくとも１個のアルコキシシラン末端基を含み、前記ポリアルキレンオキシド主鎖が、ウレタン結合を含む結合基によって前記アルコキシシラン末端基に結合されている、項目２５〜３２のいずれかに記載の剥離コーティング。
［３４］
前記親水性成分が次の構造：
【化４】
2015516311.tif 000004
を有する、項目２５〜３３のいずれかに記載の剥離コーティング。
［３５］
少なくとも１個の第１官能基を含む少なくとも１種のポリオルガノシロキサンポリマーと、前記第１官能基と共有結合する第２官能基を有する少なくとも１種の親水性成分とを含む剥離コーティングであって、前記親水性成分がポリアルキレンオキシド主鎖及び少なくとも１個のアルコキシシラン末端基を含み、前記ポリアルキレンオキシド主鎖が前記アルコキシシラン末端基と、ウレタン結合を含む結合基によって結合されている、剥離コーティング。
［３６］
前記親水性成分が次の構造：
【化５】
2015516311.tif 000005
を有する、項目３５に記載の剥離コーティング。
［３７］
少なくとも１個の第１官能基を含む少なくとも１種のポリオルガノシロキサンポリマーと、前記第１官能基と共有結合する第２官能基を有する少なくとも１種の親水性成分とを含む剥離コーティングであって、前記親水性成分が次の構造：
【化６】
2015516311.tif 000006
（式中、Ｒ２は、価数ｍの炭化水素残基であり、
各ｎにおいて、Ｌ１は独立して、直鎖又は分枝状Ｃ２〜Ｃ６アルキレンであり、
各ｍにおいて、Ｌ２は独立して、ウレタン又は硫黄結合を含む二価の結合基である）を有する、剥離コーティング。
［３８］
ポリアルキレンオキシド主鎖及び少なくとも１個のアルコキシシラン末端基を含む親水性成分であって、前記ポリアルキレンオキシド主鎖が前記アルコキシシラン末端基と、ウレタン結合を含む結合基によって結合されている、親水性成分。
［３９］
前記ポリアルキレンオキシド主鎖が、エチレンオキシド繰り返し単位を含む、項目３８に記載の親水性成分。
［４０］
前記親水性成分が次の構造を有する、項目３８〜３９に記載の親水性成分。
【化７】
2015516311.tif 000007
［４１］
次の構造：
【化８】
2015516311.tif 000008
（式中、Ｒ２は、価数ｍの炭化水素残基であり、
各ｎにおいて、Ｌ１は独立して、直鎖又は分枝状Ｃ２〜Ｃ６アルキレンであり、
各ｍにおいて、Ｌ２は独立して、ウレタン又は硫黄結合を含む二価の結合基である）を有する、親水性成分。
【手続補正２】
【補正対象書類名】特許請求の範囲
【補正対象項目名】全文
【補正方法】変更
【補正の内容】
【特許請求の範囲】
【請求項１】
再帰反射表示面を備える再帰反射シーティング物品であって、前記再帰反射表示面が剥離コーティングを備えており、前記剥離コーティングが、ポリオルガノシロキサン及び少なくとも１５重量％の親水性単位を含む、再帰反射シーティング物品。